(57)【特許請求の範囲】
【請求項１】
被記録媒体を搬送する搬送手段と、吐出口からインクを吐出することで前記被記録媒体に記録を行う記録ヘッドを搭載して前記被記録媒体の搬送方向に対して交差する方向である幅方向に往復移動するヘッド搭載部と、前記記録ヘッドと対向する位置で前記被記録媒体を支持する支持手段と、を有するインクジェット記録装置であって、
前記被記録媒体の幅方向の端部に前記記録ヘッドから吐出されたインクを回収する開口部を前記搬送方向と交差する方向に複数配列し、前記複数配列された開口部のうち少なくとも１つは前記被記録媒体の前記幅方向の位置決めを行う位置決め手段と連動して、前記幅方向に移動可能であることを特徴とするインクジェット記録装置。
【請求項２】
被記録媒体を前記被記録媒体の搬送方向に搬送する搬送手段と、前記搬送方向と交差する方向である幅方向に前記被記録媒体の通過領域を超えた範囲に配列された複数の吐出口からインクを吐出することで前記被記録媒体に記録を行う記録ヘッドを搭載するヘッド搭載部と、前記記録ヘッドと対向する位置で前記被記録媒体を支持する支持手段と、を有するインクジェット記録装置であって、
前記被記録媒体の幅方向の端部に前記記録ヘッドから吐出されたインクを回収する開口部を前記搬送方向と交差する方向に複数配列し、前記複数配列された開口部のうち少なくとも１つは前記被記録媒体の前記幅方向の位置決めを行う位置決め手段と連動して、前記幅方向に移動可能であることを特徴とするインクジェット記録装置。
【請求項３】
前記開口部と連通する管部を有し、前記開口部の開口面積は前記管部の断面積よりも広い請求項１または２に記載のインクジェット記録装置。
【請求項４】
前記支持手段は、前記搬送方向を長手方向とし、前記幅方向に並列に配列された複数の棒部材である請求項１ないし３のいずれか１項に記載のインクジェット記録装置。
【請求項５】
前記開口部は、前記被記録媒体の記録面でない面から略法線方向に離れた位置の、前記被記録媒体を支持する支持面以外の面に形成されている請求項１ないし３のいずれか１項に記載のインクジェット記録装置。
【請求項６】
前記記録ヘッドは、インク吐出用の熱エネルギを発生するための電気熱変換体を備えている請求項１ないし５のいずれか１項に記載のインクジェット記録装置。
【請求項７】
前記電気熱変換体によって印加される熱エネルギにより、インクに生ずる膜沸騰を利用して吐出口よりインクを吐出させる請求項６に記載のインクジェット記録装置。
【発明の詳細な説明】
【０００１】
【発明の属する技術分野】
本発明はインクジェット記録装置に関し、特に被記録媒体の端部に余白を作らずに記録を行える機能を有するインクジェット記録装置及びインクジェット記録方法に関する。
【０００２】
【従来の技術】
従来、例えば、電気熱変換素子の発熱によりインクに膜沸騰を生じさせ、その際に発生した気泡の圧力を利用してインクを吐出させ、紙、布、プラスチックシート、ＯＨＰ用シート等の被記録媒体に対して記録を行うインクジェット記録装置は、高密度かつ高速な記録動作が可能であることから、プリンタ等の情報処理システムの出力手段として利用され、かつ商品化されている。
【０００３】
また、インクジェット記録装置は、インクを吐出するノズルの高密度化、吐出されるインク滴の微細化、濃度の異なるインクの使用等の技術によって写真に匹敵するような高画質化が進められてきた。これによりこれまで銀塩写真等で行われてきた、例えば医療用の透過画像分野にまで進出可能となった。
【０００４】
一般にインクジェット記録装置は、記録手段である記録ヘッドおよびインクタンクを着脱可能に搭載するキャリッジと、被記録媒体を搬送する搬送手段と、これらを制御するための制御手段と、を具備する。そして複数の吐出口からインクを吐出させる記録ヘッドを被記録媒体の搬送方向（以下、副走査方向）と直交する方向（以下、主走査方向）にシリアルスキャンさせるとともに、一方で非記録時に被記録媒体を所定のピッチで副走査方向に間欠搬送するものである。
【０００５】
このような従来のインクジェット記録装置２０３の要部構成の概略を説明する側面概略図を図１３に、斜視概略図を図１４にそれぞれ示す。
【０００６】
従来のインクジェット記録装置２０３は、被記録媒体２１６を供給する被記録媒体供給部２２１と、搬送されてきた被記録媒体２１６に対して不図示のキャリッジに搭載されたインクジェット記録ヘッドカートリッジ２２４により記録を行う記録部２２２と、記録部２２２により記録された後、被記録媒体２１６を排紙し、受ける排紙部２２３とを有する。
【０００７】
この従来のインクジェット記録装置２０３による被記録媒体２１６への記録動作の概略を以下に説明する。
【０００８】
圧板２１７に積層して収納された被記録媒体２１６は、圧板２１７により分離ローラ２１８方向に押圧され、不図示の分離爪等の分離手段及び分離ローラ２１８により１枚ずつ分離された後、ガイド板２１９、２２０に沿って、第１の副走査ローラ２０８、２０９へと搬送される。次に、被記録媒体２１６は、第１の副走査ローラ２０８、２０９に挟持されて、記録部２２２へと搬送され、プラテン板２１５に位置規制されながら、インクタンク２１３及び記録ヘッド２１２を有するインクジェット記録ヘッドカートリッジ２２４の記録ヘッド２１２から吐出されたインクにより記録がなされる。インクタンク２１３は記録ヘッド２１２に供給するためのインクを内部に保持しており、記録ヘッド２１２は、被記録媒体２１６の搬送方向である副走査方向（図１４中矢印Ｋ）に複数の吐出口が配されているものである。また記録に際して、インクジェット記録ヘッドカートリッジ２２４を搭載する不図示のキャリッジは、副走査ローラの回転軸とほぼ平行に配置された不図示のキャリッジガイドに沿って、副走査方向と直交する方向である主走査方向（図１４中矢印Ｊ）に往復移動されながら記録を行う。記録がなされた被記録媒体２１６は、第２の副走査ローラ２１０、２１１に挟持されて被記録媒体受け２１４へと排紙される。第２の副走査ローラ２１１は記録直後の被記録媒体に接触するため、乾燥していないインクの付着を避けるようにその形状は拍車状になっている。
【０００９】
なお、記録が行われる前に予備吐出口２０２の上方までキャリッジは移動され、インクの予備吐出を行い、記録ヘッド２１２を良好な記録が行える好適な状態にする。従来のこの予備吐出口２０２は図１４に示すように、予備吐出口２０２に付着したインクにより被記録媒体２１６が汚れないように被記録媒体２１６の搬送路外に配置されていた。
【００１０】
また、図１４に示すように、被記録媒体２１６には、記録がなされる記録領域２０１ａと、記録がなされない余白部分となる非記録領域２０１ｂとが形成される。非記録領域２０１ｂが形成されるのは、非記録領域２０１ｂに記録がなされることで、プラテン板２１５にインクが付着し、被記録媒体２１６が汚れないようにするためである。
【００１１】
【発明が解決しようとする課題】
しかしながら上記従来例のような構成には、例えば、医療用の透過画像を形成する場合、以下のような問題点があった。
【００１２】
図１５に従来のインクジェット記録装置により透明な被記録媒体に記録がなされた、医療用の透過画像２０４の一例を示す。また、図１６にライトボックス２０５を用いて透過画像２０４、２０４’を並べて観察している状況を示す。
【００１３】
画像領域２０４ａの周囲に、ボーダー２０４ｂと呼ばれる、画像以外の領域を高濃度の黒色で塗りつぶした領域が形成されている。さらにボーダー２０４ｂの周囲は、記録がなされていない透明な領域が非記録領域２０４ｃ、２０４ｄ、２０４ｅ、２０４ｆとして形成されている。
【００１４】
透過画像４は、図１６に示すように、ライトボックス２０５の前面の上部に透過画像２０４を差し込んだ状態とし、ライトボックス２０５からバックライトを透過画像２０４の裏側から当てることで、画像領域２０４ａの観察が行われるものである。このため、銀塩写真では医療画像以外の部分は全てボーダー部として、ライトボックス２０５にかけて観察する際、不要な光を遮っていた。これは、不要な透明部分があるとそこから強い光が放射され、詳細に観察すべき画像部分の観察の妨げになるからである。
【００１５】
しかし、従来のインクジェット記録装置により記録がなされた透過画像２０４は、ボーダー２０４ｂの周囲に記録がなされていない透明な領域が非記録領域２０４ｃ、２０４ｄ、２０４ｅ、２０４ｆとして形成されているため、このような透過画像２０４をライトボックス２０５にかけて観察すると、特に両側端の非記録領域２０４ｄ、２０４ｅからもれた光が観察者の目に入り、画像領域２０４ａの詳細な観察の妨げとなっていた。また、図１６に示すように、複数枚の透過画像２０４、２０４’を同時に観察することが多く、このとき各透過画像２０４、２０４’の各画像領域２０４ａ、２０４ａ’を順次凝視する際に、透過画像２０４と透過画像２０４’との間を視線が通過する場合があり、このとき画像領域の微弱な光量部分を観察していた観察者の目が、非画像領域２０４ｅ、２０４ｄ’からなる余白の透明部分より漏れる強力な光に幻惑されて、次に画像領域２０４ａ、２０４ａ’の微弱な光量変化を読み取ることができなくなる場合があった。
【００１６】
上記問題点を解決する装置として、特開平８−１６９１５５号公報には、印刷ヘッドの下側に、印刷ヘッドの往復移動範囲に渡って搬送される記録紙の幅よりも十分に幅広のインク回収容器を備えたインクジェットプリンタが記載されている。
【００１７】
しかしながら、上記公報に記載のインクジェットプリンタでは、印刷ヘッドの下側において記録紙の全幅に渡って記録紙を案内する案内部材が無く、記録紙を空中に浮かせた状態で搬送させて記録を行っている。そのため記録紙の挙動が安定せず、また印刷ヘッドから吐出されたインク滴を吸収することでさらに記録紙の挙動が不安定になり、記録する画像の品位が悪くなるという問題点があった。
【００１８】
そこで、本発明は上記課題を解決するため、被記録媒体の端部にまで高品位の記録が可能なインクジェット記録装置及びインクジェット記録方法を提供することを目的とする。
【００１９】
【課題を解決するための手段】
上記問題点を解決するための本発明のインクジェット記録装置は、
被記録媒体を搬送する搬送手段と、吐出口からインクを吐出することで前記被記録媒体に記録を行う記録ヘッドを搭載して前記被記録媒体の搬送方向に対して交差する方向である幅方向に往復移動するヘッド搭載部と、前記記録ヘッドと対向する位置で前記被記録媒体を支持する支持手段と、を有するインクジェット記録装置であって、
前記被記録媒体の幅方向の端部に前記記録ヘッドから吐出されたインクを回収する開口部を前記搬送方向と交差する方向に複数配列し、前記複数配列された開口部のうち少なくとも１つは前記被記録媒体の前記幅方向の位置決めを行う位置決め手段と連動して、前記幅方向に移動可能であることを特徴とする。
【００２０】
また、被記録媒体を前記被記録媒体の搬送方向に搬送する搬送手段と、前記搬送方向と交差する方向である幅方向に前記被記録媒体の通過領域を超えた範囲に配列された複数の吐出口からインクを吐出することで前記被記録媒体に記録を行う記録ヘッドを搭載するヘッド搭載部と、前記記録ヘッドと対向する位置で前記被記録媒体を支持する支持手段と、を有するインクジェット記録装置であって、
前記被記録媒体の幅方向の端部に前記記録ヘッドから吐出されたインクを回収する開口部を前記搬送方向と交差する方向に複数配列し、前記複数配列された開口部のうち少なくとも１つは前記被記録媒体の前記幅方向の位置決めを行う位置決め手段と連動して、前記幅方向に移動可能であることを特徴とする。
【００２１】
以上の構成によれば、被記録媒体の端部にまで高品位の記録が可能なインクジェット記録装置を提供することができる。
【００２２】
【発明の実施の形態】
次に本発明の実施の形態の理解のための参考例について図面を参照して説明する。
【００２３】
（第１の参考例）
図１は、第１の参考例としてのインクジェット記録装置１の記録部１９の構造を示す概略斜視図である。
【００２４】
本参考例のインクジェット記録装置１の記録部１９は、透過画像を形成するための光透過性を有する被記録媒体９を搬送する第１の副走査ローラ２、３及び第２の副走査ローラ４、５と、インクタンク６と記録ヘッド７を有するインクジェット記録ヘッドカートリッジ８を搭載する不図示のヘッド搭載部としてのキャリッジと、インク受け口１１ａ、１１ｂの形成されたプラテン板１０と、記録ヘッド７からのインクの吐出に関する制御を行う制御部７ａとを有する。
【００２５】
第１の副走査ローラ２、３は被記録媒体９を挟持し、プラテン板１０の上面へと被記録媒体９を搬送し、第２の副走査ローラ４、５は、記録がなされた被記録媒体９を挟持し、不図示の被記録媒体受けへと排紙する。第２の副走査ローラ５は、記録直後の被記録媒体９に接触するため、乾燥していないインクの付着を避けるようにその形状は拍車状となっている。
【００２６】
インクタンク６はインクを内部に保持しており、記録ヘッド７は、被記録媒体９の搬送方向である副走査方向（図１中矢印Ｂ）に複数の吐出口が形成されているものである。記録に際して、インクジェット記録ヘッドカートリッジ８を搭載するキャリッジは、各副走査ローラの回転軸とほぼ平行に配置された不図示のキャリッジガイドに沿って、副走査方向と交差する方向、例えば、直交する方向である主走査方向（図１中矢印Ａ）に往復移動する。記録ヘッド７は、図１の破線で示す位置Ｃと実線で示す位置Ｄとの間で往復移動されながら記録を行う。また、インクジェット記録ヘッドカートリッジ８は、被記録媒体９の右端部９ａから左端部９ｂまでの幅Ｌ１よりも広い範囲の、インクを吐出する範囲Ｌ３にインクを吐出することが可能である。
【００２７】
プラテン板１０に形成された２つのインク受け口１１ａ、１１ｂは、管１２により不図示のインク吸収体または廃インクタンクへと連通している。また、インク受け口１１ａ、１１ｂの形成されている位置は、記録ヘッド７が通過する直下であるとともに、インク受け口１１ａの外側の縁である外側端部１１ｃと、インク受け口１１ｂの外側の縁である外側端部１１ｄとの間隔Ｌ２が、インクを吐出する範囲Ｌ３よりも広くなるように設定されている。すなわち、被記録媒体９の幅Ｌ１と、外側端部１１ｃと外側端部１１ｄとの間隔Ｌ２と、インクを吐出する範囲Ｌ３との関係は、
Ｌ１＜Ｌ３＜Ｌ２
となっており、インク受け口１１ａは被記録媒体９の右端部９ａに対応し、インク受け口１１ｂは被記録媒体９の左端部９ｂに対応するように形成されている。
【００２８】
次に、本参考例のインクジェット記録装置１による被記録媒体９への記録方法に関して詳細に説明する。
【００２９】
なお、インクジェット記録ヘッドカートリッジ８を搭載したキャリッジが位置ＣからＤの位置へと移動しながら、被記録媒体９にボーダー１３の記録を行う場合に関する説明とする。
【００３０】
第１の副走査ローラ２、３により被記録媒体９が挟持され、プラテン板１０の上面へと搬送される。
【００３１】
キャリッジは位置Ｃから、インク受け口１１ａまで移動し、記録ヘッド７の吐出口が被記録媒体９の投影位置に到達せず、インク受け口１１ａの投影位置内となる位置に達した時点で記録ヘッド７は、制御部７ａからの制御信号によりインクの吐出を開始する。すなわち、記録ヘッド７は、図１中Ｌ３の範囲内に入るとインク受け口１１ａに対してインクの吐出を開始する。これはインクは被記録媒体９以外にインクが吐出されていることとなるが、被記録媒体９以外に吐出されたインクはインク受け口１１ａにより回収されるため、プラテン板１０が汚れることはない。このため、プラテン板１０上を搬送される被記録媒体９が汚れることはない。また、この際吐出されたインクは管１２を介してインク吸収体または廃インクタンクへと排出される。
【００３２】
制御部７ａの制御信号により記録ヘッド７からのインクの吐出は続けられながら、キャリッジはさらに位置Ｄの方向へ移動する。これにより、被記録媒体９には非記録の領域が形成されることなく右端部９ａからボーダー１３の記録が開始される。そして、記録ヘッド７はインクを吐出することで被記録媒体９にボーダー１３を記録しながらキャリッジは被記録媒体９の左端部９ｂを通過し、インク受け口１１ｂの外側端部１１ｄに至る前までインクの吐出を行う。これにより、被記録媒体９の左端部９ｂにも非記録領域は形成されないこととなる。このようにして、両端部に非記録領域のないボーダー１３が被記録媒体９に形成される。
【００３３】
ボーダー１３の記録を行った後、記録ヘッド７は、吐出口がインク受け口１１ｂの外側端部１１ｄに至る前の、図１中Ｌ３の範囲内でインクの吐出を終了する。このため、プラテン板１０は吐出されたインクにより汚れることはない。また、この際吐出されたインクは管１２を介してインク吸収体または廃インクタンクへと排出される。
【００３４】
図２に本参考例のインクジェット記録装置１により記録された医療用の透過画像１４の一例を示す。
【００３５】
画像領域１４ａ以外の領域には高濃度の黒色で塗りつぶしたボーダー１４ｂが形成されている。図に示した従来のインクジェット記録装置により形成された透過画像４の上下左右端には非記録領域２０４ｃ、２０４ｄ、２０４ｅ、２０４ｆが形成されていたが、本参考例のインクジェット記録装置１により形成された透過画像１４は、上下端の非記録領域１４ｃ、１４ｄのみが形成されるのみで、左右両端は全て塗りつぶされたボーダー１４ｂが形成されている。
【００３６】
図３にライトボックス５を用いて、透過画像１４ａ及び透過画像１４ａと同様にして形成された透過画像１４ａ’を並べて観察している状況を示す。
【００３７】
透過画像１４ａ及び透過画像１４ａ’の左右端に透明部分がないために、透過画像１４ａ及び透過画像１４ａ’間にライトボックス１５からのバックライトをそのまま透過する隙間ができていない。
【００３８】
なお、プラテン板１０は平板形状のものを一例に説明したが、これに限定されることなく、例えば図４に示すプラテン板１６のような形状であってもよい。
【００３９】
すなわち、プラテン板１６は、被記録媒体９に接触する接触面１６ａの幅Ｌ４が、被記録媒体９の幅Ｌ１より狭く、また、プラテン板１６の両端は、接触面１６ａに対して下方に段差をつけた形状の段差部１６ｂ、１６ｃが形成されている。プラテン板１６を用いた場合のＬ１とＬ３とＬ２とＬ４との関係は、Ｌ４＜Ｌ１＜Ｌ３＜Ｌ２となる。段差部１６ｂ、１６ｃは、接触面１６ａより下方に位置するため、被記録媒体９に接触することはない。また、段差部１６ｂ、１６ｃには、インク受け口１７ａ、１７ｂがそれぞれ形成されているが、上述のように段差部１６ｂ、１６ｃは被記録媒体９に接触することがないため、インク受け口１７ａ、１７ｂがインクで汚れていたとしても、被記録媒体９の左右端に接触して被記録媒体９を汚すことはない。
【００４０】
また、さらに、プラテン板１０、１６のような形状のものの他に、線状の突起部が設けられた板部材やエンボス加工の施された板部材を用いるものであってもよい。
【００４１】
以上説明したように本参考例のインクジェット記録装置１は、プラテン板１０に被記録媒体９の左右両端にそれぞれ対応するインク受け口１７ａ、１７ｂが形成されており、被記録媒体９の右端に記録ヘッド７が到達する直前からインクを吐出し、被記録媒体９の左端を記録ヘッド７が通過するまでインクを連続して吐出するため、被記録媒体９の左右両端は全て塗りつぶされたボーダー１３が形成されることとなる。このため、本参考例のインクジェット記録装置１により記録された複数の透過画像１４をライトボックス１５に並べ、各透過画像１４の各画像領域１４ａを順次凝視する際に透過画像間を視線が通過しても、非記録の領域が形成されることで生じる余白の透明部分より漏れる強力な光に幻惑されずに画像領域の微弱な光量変化を読み取ることができる。
【００４２】
（第２の参考例）
次に、図５及び図６に本発明の第２の参考例のインクジェット記録装置４０の記録部５９の構成を示す概略平面図及び概略断面図をそれぞれ示す。
【００４３】
本参考例のインクジェット記録装置４０のプラテン板４４には、搬送されてきた幅の異なる各被記録媒体の右端部４１ｂに対応する第１のインク受け口４４ａと、幅の異なる各被記録媒体の左端に対応した第２のインク受け口４４ｂと、第３のインク受け口４４ｃと、第４のインク受け口４４ｄとが形成されている。
【００４４】
第２のインク受け口４４ｂは、第１の被記録媒体４１の左端部４１ａに対応する。第３のインク受け口４４ｃは、第１の被記録媒体４１より幅広の第２の被記録媒体４２の左端部４２ａに対応する。第４のインク受け口４４ｄは、第２の被記録媒体４２より幅広の第３の被記録媒体４３の左端部４３ａに対応する。
【００４５】
また、各インク受け口は管５５に連通しているが、各インク受け口と各管５５との間には、プラテン板４４の面より窪んだ凹部４８が形成されている。凹部４８が形成されていることで各被記録媒体への不要なインクの付着を抑制することができる。
【００４６】
プラテン板４４の下方には、インク吸収体４７を収納したインク吸収体ケース４５が設けられており、各インク受け口に吐出され管５５を介して流れ込んできたインクを吸収し、保持する。インク吸収体ケース４５は蓋４６を有しているため、吸収したインクが漏洩することはない。
【００４７】
なお、第１の参考例において、不図示としたインク吸収体あるいは廃インクタンクは、図６に示す、インク吸収体４７を収納し、蓋４６を有するインク吸収体ケース４５と同様のものである。
【００４８】
以上の構成により、第１の副走査ローラ４９、５０により搬送されてきた第１の被記録媒体４１は、インクジェット記録ヘッドカートリッジ５４の記録ヘッド５６から吐出された高濃度の黒色インクにより、左右端に余白部分が形成されることなく、ボーダー５３が形成される。この際、記録ヘッド５６がインクを吐出する範囲は、第１のインク受け口４４ａから第２のインク受け口４４ｂまでの間であるため、プラテン板４４及び第１の被記録媒体４１が汚れることはない。
【００４９】
同様に、第２の被記録媒体４２に記録を行う場合の記録ヘッド５６がインクを吐出する範囲は、第１のインク受け口４４ａから第３のインク受け口４４ｃまでの間であり、第３の被記録媒体４３に記録を行う場合の記録ヘッド５６がインクを吐出する範囲は、第１のインク受け口４４ａから第４のインク受け口４４ｄまでの間であるため、いずれの場合もプラテン板４４、第２の被記録媒体４２及び第３の被記録媒体４３が汚れることはない。
【００５０】
本参考例のインクジェット記録装置４０は、上記以外の構成及び動作は基本的に第１の参考例で示したインクジェット記録装置１と同様であるため、詳細な説明は省略する。
【００５１】
なお、本参考例のプラテン板４４は平板形状のものを一例に説明したが、これに限定されることなく、各インク受け口の部分が各被記録媒体に接触しないような形状のものであってもよく、例えば、線状の突起部が設けられた板部材やエンボス加工の施された板部材を用いるものであってもよい。
【００５２】
以上説明したように、本参考例のインクジェット記録装置４０も第１の参考例と同様に、各被記録媒体の左右端部に余白部分を形成することなく記録が行える。
【００５３】
（第３の参考例）
次に、図７及び図８に第３の参考例のインクジェット記録装置６０の記録部６９の構成を示す概略平面図及び概略断面図をそれぞれ示す。
【００５４】
本参考例のインクジェット記録装置６０は、第２の参考例のインクジェット記録装置４０で用いられたプラテン板４４のような平板状とせず、複数の細い針金状のバー６２が、副走査方向を長手方向として主走査方向に並列に配列されている。また、各バー６２は後述の各インク受け口６１と干渉しないように配置されている。各インク受け口６１は、管６３の断面積に対して開口部の断面積が大きく拡大されたテーパ形状に形成されたものである。この形状は、空中に吐出されたインクの回収を容易するためのものである。また、各インク受け口６１の開口端部はバー６２よりも低い位置に設けられているため、被記録媒体６４と各インク受け口６１の開口端部が接することはない。
【００５５】
本参考例のインクジェット記録装置６は、上記以外の構成及び動作は基本的に第２の参考例で示したインクジェット記録装置４０と同様であるため、詳細な説明は省略する。
【００５６】
以上説明したように、本参考例のインクジェット記録装置６０は、各被記録媒体に接する面積が少ないだけでなく、吐出されたインクの付着する面積が少ないバー６２により各被記録媒体を支持することにより各被記録媒体を汚さずに、第１及び第２の参考例と同様に被記録媒体の左右端部に余白部分を形成することなく記録が行える。
【００５７】
（第１の実施形態）
次に、図９及び図１０に本発明の第１の実施形態のインクジェット記録装置７０の記録部８９の構成を示す概略平面図及び概略断面図をそれぞれ示す。
【００５８】
本実施形態のインクジェット記録装置７０は、各被記録媒体の右端部７１ｂの位置規制を行う第１の位置決め板７２に対向する位置に配された第２の位置決め板７３にロッド７４で連結された、インクを受けるための開口の形成されたインク受け部７５を有する。第２の位置決め板７３は主走査方向に平行移動し、かつ、固定自在であり、各被記録媒体の左端部の位置規制を行うものである。ロッド７４で第２の位置決め板７３に連結されたインク受け部７５も、当然ながら、第２の位置決め板７３に伴い主走査方向に移動する。
【００５９】
インク吸収体７６を収納するインク吸収体ケース７７の蓋７８には、インク受け部７５の移動範囲に対応した開口７８ａが形成されている。すなわち、インク受け部７５が、インク受け部７５の移動範囲のどの位置に位置していたとしても、インク受け部７５に連通した管７５ｂから流れ落ちる回収されたインクが、インク吸収体ケース７７のインク吸収体７６へと流れ込むように開口７８ａは形成されている。
【００６０】
以下に、各サイズの被記録媒体にインク受け部７５を対応させる手順を説明する。
【００６１】
第１の被記録媒体７１にボーダー８１を形成する場合、操作者が第１の被記録媒体の左端部７１ａまで第２の位置決め板７３を移動させる。これにより、ロッド７４で連結されたインク受け部７５は第１の被記録媒体の左端部７１ａに対応した位置（図９中Ｇの位置）にセットされる。
【００６２】
同様に、第１の被記録媒体７１より幅広の第２の被記録媒体７９に記録を行う場合は、操作者が第２の被記録媒体の左端部７９ａまで第２の位置決め板７３を移動させる。これにより、インク受け部７５は第２の被記録媒体の左端部７９ａに対応した位置（図９中Ｈの位置）にセットされる。
【００６３】
第２の被記録媒体７９より幅広の第３の被記録媒体８０に記録を行う場合も同様に操作することで、インク受け部７５は第３の被記録媒体の左端部８０ａに対応した位置（図９中Ｉの位置）にセットされる。
【００６４】
インク受け部７５が図９に示すＧ、Ｈ、Ｉのいずれの位置にあっても、記録ヘッド８１からインク受け部７５に吐出されたインクは、管７５ｂを介し、開口７８ａからインク吸収体７６へと流れ込み吸収、保持される。
【００６５】
本実施形態のインクジェット記録装置７０は、上記以外の構成及び動作は基本的に第３の参考例で示したインクジェット記録装置６０と同様であるため、詳細な説明は省略する。
【００６６】
なお、本実施形態では、各被記録媒体の幅が３種類であり、インク受け部７５のセットされる位置も３段階として説明したが、これに限定されるものではない。また、本実施形態では、各被記録媒体の左端に対応するインク受け部７５のみが移動する構成を例として示したが、各被記録媒体の右端に対応するインク受け部７５ａも移動可能な構成とするものであってもよい。
【００６７】
以上説明したように、本実施形態のインクジェット記録装置７０は第１ないし第３の参考例と同様に、各被記録媒体の左右端部に余白部分を形成することなく記録が行える。
【００６８】
（第２の実施形態）
次に、図１１及び図１２に本発明の第２の実施形態のインクジェット記録装置９０の記録部９９の構成を示す概略平面図及び概略断面図をそれぞれ示す。
【００６９】
本実施形態のインクジェット記録装置９０は、いわゆるラインヘッドタイプのものであり、インクを吐出するノズル列９１が副走査方向の記録領域全域に渡って形成されているラインヘッド９２を有する。ラインヘッド９２は不図示のヘッド搭載部に着脱自在に搭載されている。ノズル列９１はラインヘッド９２の後述の各被記録媒体に面する側に形成されている。また、ラインヘッド９２は不図示の固定部材により、不図示のインクジェット記録装置９０の本体に固定されている。
【００７０】
第１の被記録媒体９６に記録を行う場合のラインヘッド９２のノズル列９１がインクを吐出する範囲は、第１のインク受け部９４から第１の被記録媒体の左端部９６ａに対応した位置にセットされた第２のインク受け部９５までの間である。
【００７１】
また、第１の被記録媒体９６より幅広の第２の被記録媒体９７に記録を行う場合のラインヘッド９２のノズル列９１がインクを吐出する範囲は、第１のインク受け部９４から第２の被記録媒体の左端部９７ａに対応した位置にセットされた第２のインク受け部９５までの間である。
【００７２】
同様に、第２の被記録媒体９７より幅広の第３の被記録媒体９８に記録を行う場合のラインヘッド９２のノズル列９１がインクを吐出する範囲は、第１のインク受け部９４から第３の被記録媒体の左端部９８ａに対応した位置にセットされた第２のインク受け部９５までの間である。
【００７３】
以上のように、第１のインク受け部９４から各被記録媒体の幅に合わせてセットされた第２のインク受け部９５までがラインヘッド９２のノズル列９１がインクを吐出する範囲となる。
【００７４】
本実施形態のインクジェット記録装置９０は、上記以外の構成及び動作は基本的に第１の実施形態で示したインクジェット記録装置７０と同様であるため、詳細な説明は省略する。
【００７５】
なお、本実施形態では、各被記録媒体の幅が３種類であり、第２のインク受け部９５のセットされる位置も３段階として説明したが、これに限定されるものではない。また、本実施形態では、各被記録媒体の左端に対応する第２のインク受け部９５のみが移動する構成を例として示したが、各被記録媒体の右端に対応する第１のインク受け部９４も移動可能な構成とするものであってもよい。
【００７６】
以上説明したように、本実施形態のインクジェット記録装置９０も第１ないし第３の参考例及び第１の実施形態と同様に、被記録媒体の左右端部に余白部分を形成することなく記録が行える。
【００７７】
【発明の効果】
以上説明したように本発明によれば、被記録媒体を搬送する搬送手段と、吐出口からインクを吐出することで被記録媒体に記録を行う記録ヘッドを搭載して被記録媒体の搬送方向に対して交差する方向である幅方向に往復移動するヘッド搭載部と、記録ヘッドと対向する位置で被記録媒体を支持する支持手段と、を有するインクジェット記録装置であって、被記録媒体の幅方向の端部に記録ヘッドから吐出されたインクを回収する開口部を設けたため、被記録媒体の端部にまで高品位の記録を行うことができる。
【図面の簡単な説明】
【図１】  本発明の理解のための第１の参考例のインクジェット記録装置の記録部の構造を示す概略斜視図である。
【図２】  第１の参考例のインクジェット記録装置により記録された医療用の透過画像の一例を示す図である。
【図３】  ライトボックスを用いて、複数の透過画像を並べて観察している状況を示す図である。
【図４】  異なる形状のプラテン板の一例を示す図である。
【図５】  第２の参考例のインクジェット記録装置の記録部の構成を示す概略平面図である。
【図６】  図５に示したインクジェット記録装置の記録部の構成を示す概略断面図である。
【図７】  第３の参考例のインクジェット記録装置の記録部の構成を示す概略平面図である。
【図８】  図７に示したインクジェット記録装置の記録部の構成を示す概略断面図である。
【図９】  本発明の第１の実施形態のインクジェット記録装置の記録部の構成を示す概略平面図である。
【図１０】  図９に示したインクジェット記録装置の記録部の構成を示す概略断面図である。
【図１１】  本発明の第２の実施形態のインクジェット記録装置の記録部の構成を示す概略平面図である。
【図１２】  図１１に示したインクジェット記録装置の記録部の構成を示す概略断面図である。
【図１３】  従来のインクジェット記録装置の要部構成の概略を説明する側面概略図である。
【図１４】  従来のインクジェット記録装置の斜視概略図である。
【図１５】  従来のインクジェット記録装置により記録された医療用の透過画像の一例を示す図である。
【図１６】  ライトボックスを用いて、従来の複数の透過画像を並べて観察している状況を示す図である。
【符号の説明】
１、４０、６０、７０、９０、１００、１２０  インクジェット記録装置
２、３、４９、５０、１２８、１２９  第１の副走査ローラ
４、５、５１、５２、１３０、１３１  第２の副走査ローラ
６  インクタンク
７、５６、８１、１１５、１２４  記録ヘッド
７ａ  制御部
８、５４、１１０  インクジェット記録ヘッドカートリッジ
９、６４、１１２、１２７  被記録媒体
９ａ  右端部
９ｂ  左端部
１０、１６、４４、１２１  プラテン板
１１ａ、１１ｂ、１７ａ、１７ｂ、１３２ａ、１３２ｂ  インク受け口
１３、１４ｂ、５３、８１、１３４  ボーダー
１４、１４’  透過画像
１４ａ、１４ａ’  画像領域
１４ｂ、１４ｄ  非記録領域
１５  ライトボックス
１６ａ  接触面
１６ｂ、１６ｃ  段差部
１９、５９、６９、８９、９９、１１６、１３９  記録部
４１、７１、９６  第１の被記録媒体
４１ａ、７１ａ、９６ａ  第１の被記録媒体端
４１ｂ、７１ｂ  各被記録媒体の右端部
４２、７９、９７  第２の被記録媒体
４２ａ、７９ａ、９７ａ  第２の被記録媒体の左端部
４３、８０、９８  第３の被記録媒体
４３ａ、８０ａ、９８ａ  第３の被記録媒体の左端部
４４ａ  第１のインク受け口
４４ｂ  第２のインク受け口
４４ｃ  第３のインク受け口
４４ｄ  第４のインク受け口
４５、７７、１１３  インク吸収体ケース
４６、７８  蓋
４７、７６、１１４  インク吸収体
４８  凹部
５５、６３、７５ｂ  管
６２、１１１  バー
７２  第１の位置決め板
７３  第２の位置決め板
７４  ロッド
７５、７５ａ、１０９  インク受け部
７８ａ  開口
９１、１２５  ノズル列
９２  ラインヘッド
９４  第１のインク受け部
９５  第２のインク受け部
【図１】
0003854784.tif 000002
【図２】
0003854784.tif 000003
【図３】
0003854784.tif 000004
【図４】
0003854784.tif 000005
【図５】
0003854784.tif 000006
【図６】
0003854784.tif 000007
【図７】
0003854784.tif 000008
【図８】
0003854784.tif 000009
【図９】
0003854784.tif 000010
【図１０】
0003854784.tif 000011
【図１１】
0003854784.tif 000012
【図１２】
0003854784.tif 000013
【図１３】
0003854784.tif 000014
【図１４】
0003854784.tif 000015
【図１５】
0003854784.tif 000016
【図１６】
0003854784.tif 000017